(57)【要約】【課題】ハウジングベースの強度を向上させることができる分電盤のハウジングを提供する。【解決手段】ハウジングベース１２の矩形筒状部２２は、主側板部２３ａと、主側板部２３ａと板面と直交する方向において空隙を有する補助側板部２３ｂと、主側板部２３ａ及び補助側板部２３ｂを繋ぐとともに矩形筒状部２２の延出方向に延びる第１繋ぎ部２３ｃと、主側板部２３ａ及び補助側板部２３ｂを繋ぐとともに延出方向と直交する方向に延びる第２繋ぎ部２３ｄとを有する。補助側板部２３ｂは、第２繋ぎ部２３ｄから筒状部２２の開口部１２ａ側（前側）及び反開口部１２ａ側（後側）に延出形成される。【選択図】図９
2015201976.tif 000002
【特許請求の範囲】
【請求項１】
有底筒状のハウジングベース及び該ハウジングベースの開口部を塞ぐカバーで構成される収容空間内にブレーカを収容可能な分電盤のハウジングであって、
前記ハウジングベースは、底部と、該底部から筒状なす態様で延出する筒状部とで有底筒状をなし、
前記筒状部は、主側板部と、該主側板部と板面と直交する方向において空隙を有する補助側板部と、前記主側板部及び前記補助側板部を繋ぐとともに前記筒状部の延出方向に延びる第１繋ぎ部と、前記主側板部及び前記補助側板部を繋ぐとともに前記延出方向と直交する方向に延びる第２繋ぎ部とを有し、
前記補助側板部は、前記第２繋ぎ部から前記筒状部の開口部側に延出形成されることを特徴とする分電盤のハウジング。
【請求項２】
請求項１に記載の分電盤のハウジングにおいて、
前記補助側板部は、前記第２繋ぎ部から前記筒状部の開口部側に延出形成されることに加え、前記第２繋ぎ部から前記筒状部の開口部とは反対側に延出形成されることを特徴とする分電盤。
【請求項３】
請求項１又は２に記載の分電盤のハウジングと、前記分電盤のハウジングに収容されるブレーカとを備えたことを特徴とする分電盤。
【発明の詳細な説明】
【技術分野】
【０００１】
本発明は、内部にブレーカを収容する分電盤のハウジングと、ハウジングを備えた分電盤に関するものである。
【背景技術】
【０００２】
従来、分電盤は、主幹ブレーカや主幹ブレーカに接続された主幹電路から分岐して電気機器に電力を供給する分岐電路にそれぞれ設けられた複数の分岐ブレーカ等の内部機器と、内部機器が収容されるハウジングとを有して構成される（例えば特許文献１参照）。
【０００３】
このような分電盤のハウジングは、有底筒状のハウジングベースと、前記ハウジングベースの開口部を塞ぐカバーとを有する。そして、ハウジングベースとカバーとで形成された収容空間内に前記内部機器が収容される。
【先行技術文献】
【特許文献】
【０００４】
【特許文献１】特開２００９−２６８２５２号公報
【発明の概要】
【発明が解決しようとする課題】
【０００５】
ところで、上記のような分電盤のハウジングは、予め、壁面に対してハウジングベースを取り付け、その後にカバーをハウジングベースに取り付けることとなる。このとき、例えばハウジングベースの筒状部の強度が十分に確保できないと、ハウジングベースが撓んでしまい、取り付け時に撓んだまま固定されてしまう虞がある。
【０００６】
本発明は、上記課題を解決するためになされたものであって、その目的は、ハウジングベースの強度を向上させることができる分電盤のハウジング及び分電盤を提供することにある。
【課題を解決するための手段】
【０００７】
上記課題を解決するために、分電盤のハウジングは、有底筒状のハウジングベース及び該ハウジングベースの開口部を塞ぐカバーで構成される収容空間内にブレーカを収容可能な分電盤のハウジングであって、前記ハウジングベースは、底部と、該底部から筒状なす態様で延出する筒状部とで有底筒状をなし、前記筒状部は、主側板部と、該主側板部と板面と直交する方向において空隙を有する補助側板部と、前記主側板部及び前記補助側板部を繋ぐとともに前記筒状部の延出方向に延びる第１繋ぎ部と、前記主側板部及び前記補助側板部を繋ぐとともに前記延出方向と直交する方向に延びる第２繋ぎ部とを有し、前記補助側板部は、前記第２繋ぎ部から前記筒状部の開口部側に延出形成されることを特徴とする。
【０００８】
また上記構成において、前記補助側板部は、前記第２繋ぎ部から前記筒状部の開口部側に延出形成されることに加え、前記第２繋ぎ部から前記筒状部の開口部とは反対側に延出形成されることが好ましい。
【０００９】
また、上記課題を解決するために、分電盤は、上記いずれかの構成の分電盤のハウジングと、前記分電盤のハウジングに収容されるブレーカとを備えたことを特徴とする。
【発明の効果】
【００１０】
本発明の分電盤のハウジング及び分電盤によれば、ハウジングベースに対してカバーを取り付ける際の作業性向上に寄与することができる。
【図面の簡単な説明】
【００１１】
【図１】実施形態におけるドアを閉じた状態の分電盤の斜視図である。
【図２】同上におけるドアを開けた状態における分電盤の斜視図である。
【図３】同上におけるドアを省略した状態における分電盤の斜視図である。
【図４】（ａ）は同上におけるハウジングの正面図であり、（ｂ）は（ａ）の部分拡大図である。
【図５】（ａ）は同上におけるハウジングの側面図であり、（ｂ）は（ａ）の部分拡大図である。
【図６】同上におけるハウジングベースの前側から見た平面図である。
【図７】同上におけるハウジングカバーの平面図である。
【図８】同上におけるハウジングカバーの後側から見た平面図である。
【図９】図６における９−９線で切った断面図である。
【発明を実施するための形態】
【００１２】
以下、分電盤の一実施形態を図面に従って説明する。
図１〜図３に示すように本実施形態の分電盤１０は、収容空間を有するハウジング１１と、ハウジング１１の収容空間内に収容される主幹ブレーカ５２や分岐ブレーカ５３等の内部収容品５１とを有する。なお、以下の説明において、分電盤１０を住宅の壁面に取り付けを行った際の鉛直方向を分電盤の上下方向、前記壁面と直交する方向を分電盤１０の前後方向、上下方向及び前後方向と直交する方向を分電盤１０の左右方向として説明を行う。また、一部の図においては矢印付きで各方向を示している。
【００１３】
図２及び図３に示すように、ハウジング１１は、有底矩形筒状のハウジングベース１２と、ハウジングベース１２の開口部１２ａを覆う有底矩形筒状のハウジングカバー１３とを有する。
【００１４】
図３及び図６に示すように、ハウジングベース１２は、底部２１と、底部２１の縁部から延出する矩形筒状部２２とを有して有底矩形筒状をなすよう構成される。
図３及び図６に示すように、ハウジングベース１２の底部２１は、その略中央に略矩形状に形成された電線挿通用の挿通孔２１ａが開口している。底部２１には前記挿通孔２１ａを挟んで上下両側のそれぞれに、複数のガイド孔２１ｂが左右方向に複数並設される。ガイド孔２１ｂは挿通孔２１ａの上側と下側との両方に同数個形成されている。
【００１５】
図３及び図６に示すように、ハウジングベース１２の矩形筒状部２２は、底部２１の縁部から延出する４つの側板部２３，２４によって構成される。矩形筒状部２２は、前記底部２１とは反対側の端部が開口部１２ａとなっている。矩形筒状部２２を構成する４つの側板部２３，２４は、左右方向に延びる２つ長尺側板部２３と、上下方向に延びる２つの短尺側板部２４とで構成される。
【００１６】
図６、図８及び図９に示すように、矩形筒状部２２は、各側板部２３，２４が２重となっており、強度確保が図られている。
具体的には、長尺側板部２３は、主側板部２３ａと、補助側板部２３ｂと、第１繋ぎ部２３ｃと、第２繋ぎ部２３ｄとを有する。主側板部２３ａと補助側板部２３ｂとは、それぞれの板面が略同方向を向くように平行に形成されるとともに、各板面と直交する方向において空隙を有する態様で形成される。第１繋ぎ部２３ｃは、主側板部２３ａと補助側板部２３ｂとを結ぶ方向（上下方向）且つ矩形筒状部２２の延出方向（前後方向）に延びる板面を有する形状であって、左右方向において所定間隔で複数設けられる。第２繋ぎ部２３ｄは、主側板部２３ａと補助側板部２３ｂとを結ぶ方向（上下方向）且つ前記筒状部２２の延出方向と直交する方向（左右方向）に延びる板面を有する形状とされる。また、補助側板部２３ｂは、前記主側板部２３ａよりもその長さが短く、前記第２繋ぎ部２３ｄから前後方向両側に延びる様に形成される。このため、各長尺側板部２３は、前記第２繋ぎ部２３ｄを共通の底部として前後に凹部２３ｅ，２３ｆを有する形状とされる。そして、これら凹部２３ｅ，２３ｆのそれぞれが前記第１繋ぎ部２３ｃを共用しつつ、左右方向に複数設けられている。また、短尺側板部２４についても同様に構成とされ、上下方向において複数の凹部２４ｅ，２４ｆを有する形状とされる。
【００１７】
図５（ａ）及び図６に示すように、２つの長尺側板部２３のうちの相対的に上方向に位置する長尺側板部２３は、その外側面において板面と直交する方向に突出する突起２３ｔを長手方向両側にそれぞれ１個（計２個）有する。
【００１８】
図４（ａ）、図５（ａ）及び図６に示すように、矩形筒状部２２を構成する各側板部２４は、その外側面において板面と直交する方向に突出する突起２４ｔを長手方向両側にそれぞれ１個（計２個）有する。側板部２３の突起２３ｔの突出方向と側板部２４の突起２４ｔの突出方向は略直交する関係となっている。
【００１９】
図４（ｂ）及び図５（ｂ）に示すように、各側板部２３，２４の各突起２３ｔ，２４ｔは、ハウジングベース１２にハウジングカバー１３を組み付けた際に、ハウジングカバー１３よりも左右方向又は上下方向において外側に突出する長さを有する。
【００２０】
図３及び図７に示すように、ハウジングカバー１３は、底部３１と、底部３１の縁部から延出する矩形筒状部３２とを有して有底矩形筒状をなすように構成される。
図３及び図７に示すように、ハウジングカバー１３の底部３１は、その略中央に略矩形状に形成された開口部３１ａを有する。この開口部３１ａには、開口部３１ａを挟んで上下両側のそれぞれに、上下方向に延出する延出片３１ｂが左右方向に複数並設される。この延出片３１ｂには、主幹ブレーカ用カバーＣ１や分岐ブレーカ用カバーＣ２などの各種カバーが取り付けられるようになっている。
【００２１】
図７に示すように、ハウジングカバー１３の矩形筒状部３２は、底部３１の縁部から延出する４つの側板部３３，３４によって構成される。矩形筒状部３２は、前記底部３１とは反対側の端部が開口部３２ａとなっている。矩形筒状部３２を構成する４つの側板部３３，３４は、左右方向に延びる２つ長尺側板部３３と、上下方向に延びる２つの短尺側板部３４とで構成される。
【００２２】
図６及び図７に示すように、底部３１の上下方向の端部から延出する２つの長尺側板部３３は、その内面間の長さ（内寸）Ｄｂ１が、ハウジングベース１２側の２つの長尺側板部２３の外面間の長さ（外寸）Ｄａ１よりも長く設定される。また、底部３１の左右方向の端部から延出する２つの短尺側板部３４は、その内面間の長さ（内寸）Ｄｂ２が、ハウジングベース１２側の２つの短尺側板部２４の外面間の長さ（外寸）Ｄａ２よりも長く設定される。このため、ハウジングカバー１３の矩形筒状部３２は、ハウジングベース１２の矩形筒状部２２よりも開口面積が一回り広い構成とされる。これにより、ハウジングカバー１３は、その底部３１がハウジングベース１２の底部２１と対向する方向においてハウジングベース１２に対して組み付けることで、矩形筒状部３２がハウジングベース１２の矩形筒状部２２の周囲を覆うこととなる。このため、分電盤１０を左右方向又は上下方向から見た時にハウジングカバー１３の矩形筒状部３２がハウジングベース１２の矩形筒状部２２と重なるようになっている。例えばハウジングベース１２の矩形筒状部とハウジングカバー１３の矩形筒状部とを突きあわせた状態と比較して、左右方向や上下方向から見た時に隙間が生じることが抑えられている。
【００２３】
図７に示すように２つの長尺側板部３３のうちの相対的に上方向に位置する長尺側板部３３は、先端側（反底部３１側であり、前後方向において後ろ側）から基端側にかけて凹状をなすように形成される凹部３３ｔを長手方向両側にそれぞれ１個（計２個）有する。
【００２４】
図５（ａ）及び図７に示すように、矩形筒状部３２を構成する各短尺側板部３４は、先端側（反底部３１側であり、前記前後方向において後ろ側）から基端側にかけて凹状をなすように形成される凹部３４ｔを長手方向両側にそれぞれ１個（計２個）有する。各凹部３３ｔ，３４ｔは、ハウジングベース１２とハウジングカバー１３とを組み付けた際に、前記突起２３ｔ，２４ｔを嵌入可能な位置に形成されている。このため、凹部３３ｔ，３４ｔは、ハウジングベース１２とハウジングカバー１３とを組み付けた際に前記突起２３ｔ，２４ｔと干渉しないようになっている。また、凹部３３ｔ，３４ｔによって相対的に突起２３ｔ，２４ｔの突出量が減ることとなり、突起２３ｔ，２４ｔの極端な飛び出しが抑えられている。
【００２５】
図２に示すように、ハウジングカバー１３の底部３１を構成する前面３１ｃには、ハウジングカバー１３の前面３１ｃを覆うドア１４が開閉（回動）可能に設けられる。これによって、必要に応じてドア１４を開けることで主幹ブレーカ５２のハンドル５２ａや分岐ブレーカ５３のハンドル５３ａが露出され、操作可能となっている。また、ドア１４を閉じることで、主幹ブレーカ５２や分岐ブレーカ５３を隠すことが可能となっている。
【００２６】
次に、本実施形態の分電盤の作用を説明する。
本実施形態の分電盤１０は、住宅内の所定の壁に取り付ける際、先ずハウジングベース１２を取り付けた後にハウジングカバー１３をハウジングベース１２に組み付けることとなる。ハウジングベース１２を壁に取り付ける際、ハウジングベース１２の矩形筒状部２２に形成された各突起２３ｔ，２４ｔによって左右方向に位置する住宅の壁や上方向に位置する天井と突起２３ｔ，２４ｔ分だけハウジングベース１２の側板部２３，２４が離間する。これによって、ハウジングカバー１３をハウジングベース１２に組み付ける際に、ハウジングカバー１３が天井や住宅の壁に干渉することが抑えられている。また、ハウジングベース１２は、各側板部２３，２４の凹部２３ｅ，２３ｆ，２４ｅ，２４ｆが複数形成され、２重の側板を有する形状とされるため、取付時にハウジングベース１２が撓んだりすることが抑えられている。
【００２７】
ハウジングカバー１３をハウジングベース１２に組み付ける際に、ハウジングカバー１３の開口面積がハウジングベース１２の開口面積よりも広く、ハウジングカバー１３の矩形筒状部３２によってハウジングベース１２の矩形筒状部２２の周囲を覆うこととなる。
【００２８】
次に、本実施形態の効果を記載する。
（１）ハウジングベース１２は、各側板部２３，２４の凹部２３ｅ，２３ｆ，２４ｅ，２４ｆが複数形成され、２重の側板を有する形状とされるため、取付時にハウジングベース１２が撓んだりすることが抑えられている。
【００２９】
（２）また、各凹部２３ｅ，２３ｆを構成する補助側板部２３ｂは、第２繋ぎ部２３ｄから筒状部２２の開口部１２ａ側（前側）及び反開口部１２ａ側（後側）に延出形成される。このため、ハウジングベース１２の強度をより向上させ、ハウジングベース１２の撓みを抑えることができる。
【００３０】
なお、上記実施形態は、以下のように変更してもよい。
・上記実施形態では、ハウジングベース１２に突起２３ｔ，２４ｔを設ける構成としたが省略した構成を採用してもよい。この場合、ハウジングカバー１３の凹部３３ｔ，３４ｔは省略してもよい。
【００３１】
・上記実施形態では、一方の長尺側板部２３と２つの短尺側板部２４とのそれぞれに２つの突起２３ｔ，２４ｔを設けたが、その数は任意に変更してもよい。この際、ハウジングカバー１３の凹部３３ｔ，３４ｔは、前記突起２３ｔ，２４ｔと同数であることが好ましい。
【００３２】
・上記実施形態では、ハウジングカバー１３に突起２３ｔ，２４ｔとの干渉を避ける凹部３３ｔ，３４ｔを形成したが、例えば予めハウジングカバー１３と干渉しない位置に突起２３ｔ，２４ｔが形成される場合には凹部３３ｔ，３４ｔを省略してもよい。
【００３３】
・上記実施形態では、ハウジングベース１２及びハウジングカバー１３を有底矩形筒状としたが、有底筒状であれば適宜変更してもよい。ただし、ハウジングベース１２の矩形筒状部２２及びハウジングカバー１３の矩形筒状部３２は類似形状であることが好ましい。
【００３４】
・上記実施形態並びに上記変形例は適宜組み合わせてもよい。
【符号の説明】
【００３５】
１０…分電盤、１１…ハウジング、１２…ハウジングベース、１２ａ…開口部、１３…ハウジングカバー（カバー）、２２…矩形筒状部（筒状部）、２３…長尺側板部（側板部）、２３ａ…主側板部、２３ｂ…補助側板部、２３ｃ…第１繋ぎ部、２３ｄ…第２繋ぎ部、２３ｔ…突起、２４…短尺側板部（側板部）、２４ｔ…突起、３２…矩形筒状部（筒状部）、３３ｔ，３４ｔ…凹部、５２…主幹ブレーカ（ブレーカ）、５３…分岐ブレーカ（ブレーカ）。
【図１】
2015201976.tif 000003
【図２】
2015201976.tif 000004
【図３】
2015201976.tif 000005
【図４】
2015201976.tif 000006
【図５】
2015201976.tif 000007
【図６】
2015201976.tif 000008
【図７】
2015201976.tif 000009
【図８】
2015201976.tif 000010
【図９】
2015201976.tif 000011